(57)【要約】【課題】靴下とインソール組の提供。【解決手段】足部に靴を履き易くする靴下とインソールが滑り止め作用を発生する構造で、靴下、インソール及び靴下とインソールの相対表面間の結合装置を含む。該結合装置は第一結合部品と第二結合部品を含み、しかも該第一、二結合部品は相互に結合する滑り止め効果を生じる。本発明の特色は靴下とインソールの相対表面中において少なくとも片側に凹部を形成し、これにより該第一、二結合部品中の任一の結合部品は該凹部内に相対設置される。別に該結合部品の結合部は該靴下或いは該インソールの表面よりやや低い。上記設計により、使用者は靴を履く時、靴下とインソール間に設置する第一、二結合部品は先行結合せず、靴を履き終わり、しかも下方へと施力し圧合後、該結合装置の第一、二結合部品は初めて相対結合可能で、滑り止め作用を生じ、使用者は便利に靴を履くことができる。【選択図】図１
2007244877.tif 000002
【特許請求の範囲】
【請求項１】
インソール、靴下、一組の結合装置を含み、
該インソールは該靴下底に対応するインソール面を具え、
該靴下は該インソールに対応し接着する靴下底を具え、該靴下底と該インソールのインソール面の両面の少なくとも片面には少なくとも凹部を具え、
該組の結合装置は相互に粘着係合する少なくとも１個の第一結合部品及び少なくとも１個の第二結合部品を含み、該結合装置の第一及び第二結合部品はそれぞれ該靴下底と該インソール面間に設置し、しかも該第一或いは第二結合部品中の少なくとも１個の結合部品は該凹部内に設置し、しかも該凹部内に設置する結合部品の結合部は該凹部周縁表面よりやや低く、これによりそれが圧迫を受ける前には、該結合装置の第一、二結合部品は結合関係を生じず、よって足部靴下が靴内に入る時、該靴下と該インソール間はくっつくことがなく、足部の位置が定まり下方へと踏み込み圧力を加えると、該凹部内に設置する結合部品は露出し、もう一つの結合部品と相互に粘着係合し、こうして滑り止め作用を具え、しかも履き易い靴下とインソール組を構成することを特徴とする靴下とインソール組。
【請求項２】
請求項１記載の靴下とインソール組において、前記凹部はブロック状、棒状、或いはその組合せを呈することを特徴とする靴下とインソール組。
【請求項３】
請求項２記載の靴下とインソール組において、前記結合装置の内の一つの結合部品は全体式を呈し、及び該凹部に対応するブロック状或いは棒状の第二結合部品であることを特徴とする靴下とインソール組。
【請求項４】
請求項１記載の靴下とインソール組において、前記結合装置の第一、二結合部品は一般のマジックテープ（登録商標）のフックシートと毛状シートから選択することを特徴とする靴下とインソール組。
【請求項５】
請求項１記載の靴下とインソール組において、前記インソールは該第一或いは第二結合部品と該インソールの発泡材料により一体成型し、該インソールのインソール面に凹部を残し、該凹部内には該結合部品を具えることを特徴とする靴下とインソール組。
【請求項６】
請求項１記載の靴下とインソール組において、前記結合装置の一個の結合部品は全面が該靴下底表面に設置され、しかも該結合部品表面には少なくとも１個の接着片を設置し、該接着片は少なくとも１個の開孔を具え、該開孔に形成する該凹部位置の結合部品の結合部は該接着片の表面よりやや低いことを特徴とする靴下とインソール組。
【請求項７】
請求項１記載の靴下とインソール組において、前記結合装置の１個の結合部品は全面が該インソール面表面に設置され、しかも該結合部品表面には少なくとも１個の接着片を設置し、該該接着片は少なくとも１個の開孔を具え、該開孔に形成する該凹部位置の結合部品の結合部は該接着片の表面よりやや低いことを特徴とする靴下とインソール組。
【請求項８】
請求項６記載の靴下とインソール組において、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とする靴下とインソール組。
【請求項９】
請求項７記載の靴下とインソール組において、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とする靴下とインソール組。
【請求項１０】
靴下底を具え、該靴下底表面には少なくとも１個の凹部を具え、該凹部内には結合部品を設置し、しかも該結合部品の結合部は該凹部周縁表面よりやや低く、該靴下が圧力を受けると圧縮し、これにより該結合部品は該凹部及び靴下表面において突出し、該鞋底の相対表面に設置する別の結合部品と結合することを特徴とする靴下。
【請求項１１】
請求項１０記載の靴下において、前記凹部はブロック状、棒状、或いはその組合せを呈することを特徴とする靴下。
【請求項１２】
請求項１０記載の靴下において、前記結合部品と粘着係合関係を生じる表面はインソールであることを特徴とする靴下。
【請求項１３】
請求項１０記載の靴下において、前記結合部品は一般のマジックテープ（登録商標）のフックシートと毛状シートから選択することを特徴とする靴下。
【請求項１４】
請求項１０記載の靴下において、前記結合部品は全面が該靴下底表面に設置され、しかも該結合部品表面には少なくとも１個の接着片を設置し、該該接着片は少なくとも１個の開孔を具え、該開孔に形成する該凹部位置の結合部品の結合部は該接着片の表面よりやや低いことを特徴とする靴下。
【請求項１５】
請求項１４記載の靴下において、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とする靴下。
【請求項１６】
インソールを含み、
該インソールはインソール面を具え、しかも該インソールのインソール面表面には凹部を設置し、該凹部内には結合部品を設置し、しかも該結合部品の結合部は該凹部周縁表面よりやや低く、該インソールが圧力を受けると圧縮し、該結合部品は該凹部及び該インソール表面において突出し、こうして表面が相対する別の結合部品と結合することを特徴とするインソール。
【請求項１７】
請求項１６記載のインソールにおいて、前記凹部はブロック状、棒状、或いはその組合せを呈することを特徴とするインソール。
【請求項１８】
請求項１６記載のインソールにおいて、前記結合部品と粘着係合関係を生じる表面は靴下であることを特徴とするインソール。
【請求項１９】
請求項１６記載のインソールにおいて、前記結合部品は一般のマジックテープ（登録商標）のフックシートと毛状シートから選択することを特徴とするインソール。
【請求項２０】
請求項１６記載のインソールにおいて、前記結合部品は全面が該インソール面表面に設置され、しかも該結合部品表面には少なくとも１個の接着片を設置し、該接着片間には少なくとも１個の開孔或いは間隙を具え、該開孔或いは該間隙に形成する凹部位置の結合部品の結合部は該接着片の表面よりやや低いことを特徴とするインソール。
【請求項２１】
請求項２０記載のインソールにおいて、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とするインソール。
【発明の詳細な説明】
【技術分野】
【０００１】
本発明は一種の靴下とインソール組に関する。特に一種の滑り止め作用を生じる靴下とインソール組技術で、本発明において足部は靴を履く時、靴下とインソールに設置する結合装置は結合関係を生じない特殊設計により、足部が下方へと両者を踏み込み初めて結合し、こうして使用者は便利に靴を履くことができる調整靴で、靴を履く時の利便性を向上させ、快適感を具える靴下とインソール組に係る。
【背景技術】
【０００２】
一般に足部が靴を履く時には、通常は靴下を履きその柔軟性、保護性及び保温性を高める。一方、靴サイズがちょうど良過ぎ足部が圧迫される不快感を回避するため、靴を買う時には、そのサイズを使用者の足部よりやや大きくし、足部と靴間に間隙を生じさせるようにする。
しかし、靴下は織布により編織、成型され、さらにインソール表面の平滑性により、滑移の現象を生じる。迅速に移動する必要がある場合には、この種の滑移現象はより明らかで、運動傷害を発生する恐れさえある。
【０００３】
この問題を解決するため、現在多くの業者が、特許文献１、特許文献２、特許文献３、特許文献４、特許文献５、特許文献６及び特許文献７等の特許案を初めとする靴下とインソール間の滑り止め構造を開発している。
特許文献５を例とすると、それは前後段にそれぞれ相互に粘着可能な粘着係合ベルトを設置する。また特許文献７は、靴下底面にそれぞれ若干の粘着係合ベルトを設置しインソールを結合し、滑り止め効果を達成する。さらに特許文献１では、靴下のかかと対応部分とインソール間にそれぞれ相互に粘着可能な粘着係合ベルトを設置し構成する。
【０００４】
【特許文献１】世界特許第WO 01/65959号明細書
【特許文献２】世界特許第WO 99/44449号明細書
【特許文献３】米国特許第US 4,926,568号明細書
【特許文献４】米国特許第US6,880,268 B2号明細書
【特許文献５】米国特許第US 3,059,350号明細書
【特許文献６】特開昭第60/34603号明細書
【特許文献７】英国特許第GB 2309625号明細書
【０００５】
上記各構造の欠点は使用者が靴を履く時には、靴の中で足の位置が定まる前に、つまり完全に履いていない内に、靴下底面とインソール間の粘着係合ベルトが先に粘着し、完全に履けない或いは靴下がずれる現象が発生し、靴を履き難いという問題を引き起こす。さらに足底とインソール間も靴下がひっかかり若干盛り上がり、こうして使用者の足部は不快を感じてしまう。
【発明の開示】
【発明が解決しようとする課題】
【０００６】
本発明は靴下とインソール組を提供し、これにより靴下とインソールは着用後に相互に結合可能で、足部と靴間の滑動を阻止し、
さらにそれは靴下とインソール組を提供し、これにより使用者は靴を履き易くなり、靴着用の利便性に悪影響を及ぼすことはなく、
すなわち本発明はインソール、靴下、一組の結合装置を含み、
該インソールは該靴下底に対応するインソール面を具え、
該靴下は該インソールに対応し接着する靴下底を具え、該靴下底と該インソールのインソール面の両面間には少なくとも１個の表面に少なくとも１個の凹部を形成し、
該一組の結合装置は相互に粘着係合する少なくとも１個の第一結合部品及び少なくとも１個の第二結合部品を含み、該結合装置の第一及び第二結合部品はそれぞれ該靴下底と該インソール面間に設置し、しかも該第一或いは第二結合部品中の少なくとも１個の結合部品は該凹部内に設置し、しかも該凹部内に設置する結合部品の結合部は該凹部周縁表面よりやや低く、
これによりそれが圧迫を受ける前には、結合装置の第一、二結合部品は結合関係を生じず、よって足部靴下が靴内に入る時、該靴下と該インソール間はくっつくことがなく、足部の位置が定まり下方へと踏み込み圧力を加えると、該凹部内に設置する結合部品は露出し、もう一つの結合部品と相互に粘着係合し、こうして滑り止め作用を具え、しかも履き易い靴下とインソール組を構成する。
【課題を解決するための手段】
【０００７】
請求項１の発明は、インソール、靴下、一組の結合装置を含み、
該インソールは該靴下底に対応するインソール面を具え、
該靴下は該インソールに対応し接着する靴下底を具え、該靴下底と該インソールのインソール面の両面の少なくとも片面には少なくとも凹部を具え、
該組の結合装置は相互に粘着係合する少なくとも１個の第一結合部品及び少なくとも１個の第二結合部品を含み、該結合装置の第一及び第二結合部品はそれぞれ該靴下底と該インソール面間に設置し、しかも該第一或いは第二結合部品中の少なくとも１個の結合部品は該凹部内に設置し、しかも該凹部内に設置する結合部品の結合部は該凹部周縁表面よりやや低く、これによりそれが圧迫を受ける前には、該結合装置の第一、二結合部品は結合関係を生じず、よって足部靴下が靴内に入る時、該靴下と該インソール間はくっつくことがなく、足部の位置が定まり下方へと踏み込み圧力を加えると、該凹部内に設置する結合部品は露出し、もう一つの結合部品と相互に粘着係合し、こうして滑り止め作用を具え、しかも履き易い靴下とインソール組を構成することを特徴とする靴下とインソール組としている。
請求項２の発明は、請求項１記載の靴下とインソール組において、前記凹部はブロック状、棒状、或いはその組合せを呈することを特徴とする靴下とインソール組としている。
請求項３の発明は、請求項２記載の靴下とインソール組において、前記結合装置の内の一つの結合部品は全体式を呈し、及び該凹部に対応するブロック状或いは棒状の第二結合部品であることを特徴とする靴下とインソール組としている。
請求項４の発明は、請求項１記載の靴下とインソール組において、前記結合装置の第一、二結合部品は一般のマジックテープ（登録商標）のフックシートと毛状シートから選択することを特徴とする靴下とインソール組としている。
請求項５の発明は、請求項１記載の靴下とインソール組において、前記インソールは該第一或いは第二結合部品と該インソールの発泡材料により一体成型し、該インソールのインソール面に凹部を残し、該凹部内には該結合部品を具えることを特徴とする靴下とインソール組としている。
請求項６の発明は、請求項１記載の靴下とインソール組において、前記結合装置の一個の結合部品は全面が該靴下底表面に設置され、しかも該結合部品表面には少なくとも１個の接着片を設置し、該接着片は少なくとも１個の開孔を具え、該開孔に形成する該凹部位置の結合部品の結合部は該接着片の表面よりやや低いことを特徴とする靴下とインソール組としている。
請求項７の発明は、請求項１記載の靴下とインソール組において、前記結合装置の１個の結合部品は全面が該インソール面表面に設置され、しかも該結合部品表面には少なくとも１個の接着片を設置し、該該接着片は少なくとも１個の開孔を具え、該開孔に形成する該凹部位置の結合部品の結合部は該接着片の表面よりやや低いことを特徴とする靴下とインソール組としている。
請求項８の発明は、請求項６記載の靴下とインソール組において、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とする靴下とインソール組としている。
請求項９の発明は、請求項７記載の靴下とインソール組において、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とする靴下とインソール組としている。
【０００８】
請求項１０の発明は、靴下底を具え、該靴下底表面には少なくとも１個の凹部を具え、該凹部内には結合部品を設置し、しかも該結合部品の結合部は該凹部周縁表面よりやや低く、該靴下が圧力を受けると圧縮し、これにより該結合部品は該凹部及び靴下表面において突出し、該鞋底の相対表面に設置する別の結合部品と結合することを特徴とする靴下としている。
請求項１１の発明は、請求項１０記載の靴下において、前記凹部はブロック状、棒状、或いはその組合せを呈することを特徴とする靴下としている。
請求項１２の発明は、請求項１０記載の靴下において、前記結合部品と粘着係合関係を生じる表面はインソールであることを特徴とする靴下としている。
請求項１３の発明は、請求項１０記載の靴下において、前記結合部品は一般のマジックテープ（登録商標）のフックシートと毛状シートから選択することを特徴とする靴下としている。
請求項１４の発明は、請求項１０記載の靴下において、前記結合部品は全面が該靴下底表面に設置され、しかも該結合部品表面には少なくとも１個の接着片を設置し、該該接着片は少なくとも１個の開孔を具え、該開孔に形成する該凹部位置の結合部品の結合部は該接着片の表面よりやや低いことを特徴とする靴下としている。
請求項１５の発明は、請求項１４記載の靴下において、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とする靴下としている。
【０００９】
請求項１６の発明は、インソールを含み、
該インソールはインソール面を具え、しかも該インソールのインソール面表面には凹部を設置し、該凹部内には結合部品を設置し、しかも該結合部品の結合部は該凹部周縁表面よりやや低く、該インソールが圧力を受けると圧縮し、該結合部品は該凹部及び該インソール表面において突出し、こうして表面が相対する別の結合部品と結合することを特徴とするインソールとしている。
請求項１７の発明は、請求項１６記載のインソールにおいて、前記凹部はブロック状、棒状、或いはその組合せを呈することを特徴とするインソールとしている。
請求項１８の発明は、請求項１６記載のインソールにおいて、前記結合部品と粘着係合関係を生じる表面は靴下であることを特徴とするインソールとしている。
請求項１９の発明は、請求項１６記載のインソールにおいて、前記結合部品は一般のマジックテープ（登録商標）のフックシートと毛状シートから選択することを特徴とするインソールとしている。
請求項２０の発明は、請求項１６記載のインソールにおいて、前記結合部品は全面が該インソール面表面に設置され、しかも該結合部品表面には少なくとも１個の接着片を設置し、該接着片間には少なくとも１個の開孔或いは間隙を具え、該開孔或いは該間隙に形成する凹部位置の結合部品の結合部は該接着片の表面よりやや低いことを特徴とするインソールとしている。
請求項２１の発明は、請求項２０記載のインソールにおいて、前記接着片材料はPE、PP、PVC、PU、PC、PETなどの熱可塑性プラスチック、TPU、TPE、TPR及びエバフレックスなどの熱可塑性弾性材料、発泡材料から選択することを特徴とするインソールとしている。
【発明の効果】
【００１０】
本発明は足部が靴を履く時、靴下とインソールに設置する結合装置は結合関係を生じない特殊設計により、足部が下方へと両者を踏み込み初めて結合し、こうして使用者は便利に靴を履くことができる調整靴で、靴を履く時の利便性を向上させ、快適感を具える。
【発明を実施するための最良の形態】
【００１１】
図１に示すように、本発明は靴下10、インソール20及び結合装置30を含む。
該靴下10は該インソール20に対応し接着定位する靴下底11を具え、該インソール20は該靴下底11に対応するインソール面21を具える。
該結合装置30は該靴下10の靴下底11と該インソール20のインソール面21間に設置する。
【００１２】
図１、２、３に示すように、該靴下10の靴下底11或いは該インソール20のインソール面21には表面に少なくとも１個の凹部15、25（該インソール20に関しては図６参照）を具え、該凹部15、25はブロック状或いは棒状或いはその組合せを呈する。
該結合装置30は少なくとも１個の第一結合部品31及び少なくとも１個の第二結合部品35を含み、該第一、二結合部品31、35は一般のマジックテープ（登録商標）のフックシートと毛状シートから選択する。該第一結合部品31は該凹部15、25内に設置し、しかも該第一結合部品31の結合部は該靴下10の靴下底11と該インソール20インソール面21の表面よりやや低い。このため、施力圧迫する前には、該結合装置30の第一、二結合部品31、35は結合関係を生じず、さらに該第二結合部品35は該インソール20のインソール面21或いは該靴下10の靴下底11に設置され（図６参照）、一枚式を呈し、或いは該第一結合部品31に対応するブロック状或いは棒状を呈する。
【００１３】
これにより、足部靴下10が靴内に入る時、該靴下10上の第一結合部品31は該インソール20の第二結合部品35と相互に粘着係合せず、足部が定位し、しかも下方へと踏み込み圧力を加えると、該靴下10或いは該インソール20は圧縮し、該結合装置30の第一結合部品31は露出する。こうして該第二結合部品と相互に粘着係合し、足部と靴間の滑動を阻止し、滑り止め効果を具え、しかも履き易い靴下とインソールは滑り止め作用を発生する構造を構成する。
【００１４】
本発明の実際運用においては、図３に示すように、足部靴下10が靴内に入る時には、該靴下10上の第一結合部品31は該インソール20の第二結合部品35と相互に粘着係合しない（図３、４、５参照）。次に足部が定位し、しかも下方へと踏み込み圧力を加えると、該靴下10或いは該インソール20は圧縮し（図４参照）、該結合装置30の第一結合部品31は露出し、こうして該第二結合部品と相互に粘着係合する（図５参照）。これによりさらに足部と靴間の滑動を阻止する目的を達成し、同時に使用者にとっては着用と定位が容易で、しかも使用者は隆起感を感じることなく、着用と運動時の快適感を効果的に強化可能である。
【００１５】
本発明の別種の実施例では、図７に示すように、該靴下10の靴下底11と該インソール20のインソール面21には相対する凹部15、25を設置し、しかも該結合装置30の第一、二結合部品31、35はそれぞれ対応する凹部15、25内に設置する。さらに該第一、二結合部品31、35の結合部は相対する靴下底11とインソール面21の表面よりやや低く、こうして前記と相同の機能と効果を達成する。
【００１６】
図８、９に示す実施例中のインソール20の最適例は結合部品31、35とインソールの発泡材料は一体成型で、発泡材料には凹部25を残し、該凹部内には該結合部品を具える。
【００１７】
さらに図１０に示すように、本発明の別種の実施例では、該結合装置30の第一、二結合部品31、35は該靴下10の靴下底11と該インソール20のインソール面21の表面に設置し、該第一、二結合部品31、35の端部表面には対応する接着片17、27を設置する。該接着片17、27間には少なくとも１個の開孔或いは間隙171を形成し、該開孔或いは該間隙に形成する凹部位置の第一、二結合部品31、35の結合部は該接着片17、27の表面よりやや低い。こうして同様に足部が靴に入って行く時、該第一結合部品31と該第二結合部品35は相互に粘着係合せず、足部が定位し、しかも下方へと踏み込み圧力を加えると、該接着片17、27の位置は圧縮し、該結合部品は該接着片の表面において突出し、該結合装置30の第一結合部品31と該第二結合部品35は相互に粘着係合する。こうして足部と靴間の滑動を阻止する目的を達成し、しかも着用と定位に悪影響を与えることはない。
前記実施例において、接着片の材料はPE、PP、PVC、PU、PC、PETなどの熱可塑性プラスチック、TPU、TPE、TPR，エバフレックス（EVA）などの熱可塑性弾性材料、発泡材料から選択することが最適である。
【図面の簡単な説明】
【００１８】
【図１】本発明靴下とインソール組間の滑り止め構造の立体外観概略図である。
【図２】本発明靴下とインソール間の相対関係を説明する本発明滑り止め構造の断面概略図である。
【図３】本発明結合前の状態を示す実際使用の参考概略図である。
【図４】本発明施力結合時の状態を示す実際使用の参考概略図である。
【図５】本発明結合後の状態を示す実際使用の参考概略図である。
【図６】本発明靴下とインソール組間の滑り止め構造の別種の実施例の断面概略図である。
【図７】本発明靴下とインソール組間の滑り止め構造のさらに別種の実施例の断面概略図である。
【図８】本発明インソールの実施例立体図で、該インソールは結合部品と発泡材料により一体成型されるブロック状凹部を具える。
【図９】図８のX-X断面図である。
【図１０】本発明靴下とインソール組間の滑り止め構造のさらに別種の実施例の断面概略図である。
【符号の説明】
【００１９】
10  靴下
11  靴下底
15  凹部
17  接着片
20  インソール
21  インソール面
25  凹部
27  接着片
30  結合装置
31  第一結合部品
35  第二結合部品
171  開孔或いは間隙
【図１】
2007244877.tif 000003
【図２】
2007244877.tif 000004
【図３】
2007244877.tif 000005
【図４】
2007244877.tif 000006
【図５】
2007244877.tif 000007
【図６】
2007244877.tif 000008
【図７】
2007244877.tif 000009
【図８】
2007244877.tif 000010
【図９】
2007244877.tif 000011
【図１０】
2007244877.tif 000012